(57)【要約】【課題】コンパクトな構造で高圧化を実現でき、そのうえ取りつけ位置決めがしやすく、組立作業が簡単な電磁振動型ポンプ用のタンクを提供することである。【解決手段】フレーム内に少なくとも１つの電磁石と、永久磁石を保持した複数の振動子と、前記振動子の両端に連結されたダイヤフラムまたはピストンを介して設けられたポンプケーシング部とからなり、前記振動子の両端が、それぞれポンプケーシング部の内部空間と気密に遮断するダイヤフラムまたはピストンと連結され、前記ポンプケーシング部に吸入ノズルと吐出ノズルとが設けられている電磁振動型ポンプに適用される気体通路タンクであって、前記ポンプケーシング部の上に設けられ、前記吸入ノズルおよび吐出ノズルを介してポンプケーシング部と連通し、通気路が直列および／または並列に仕切られ、当該気体通路の側壁に空気の供給および排出のために、少なくとも１つの吸気口と排出口を備えてなることを特徴としている。【選択図】図１
2006322396.tif 000002
【特許請求の範囲】
【請求項１】
フレーム内に少なくとも１つの電磁石と、永久磁石を保持した複数の振動子と、前記振動子の両端に連結されたダイヤフラムまたはピストンを介して設けられたポンプケーシング部とからなり、前記振動子の両端が、それぞれポンプケーシング部の内部空間と気密に遮断するダイヤフラムまたはピストンと連結され、前記ポンプケーシング部に吸入ノズルと吐出ノズルとが設けられている電磁振動型ポンプに適用される気体通路タンクであって、
前記ポンプケーシング部の上に設けられ、前記吸入ノズルおよび吐出ノズルを介してポンプケーシング部と連通し、
通気路が直列および／または並列に仕切られ、当該気体通路の側壁に空気の供給および排出のために、少なくとも１つの吸気口と排出口を備えてなる
ことを特徴とする気体通路タンク。
【請求項２】
前記ポンプケーシング部が複数個設けられ、前記通気路が、当該複数個のポンプケーシングに対して並列になるように仕切られてなる請求項１記載の気体通路タンク。
【請求項３】
前記ポンプケーシング部が複数個設けられ、前記通気路が、当該複数個のポンプケーシング同士が並列になるように仕切られたのち、さらにそれぞれが直列になるように仕切られてなる請求項１記載の気体通路タンク。
【請求項４】
前記ポンプケーシング部が複数個設けられ、前記通気路が、当該複数個のポンプケーシングすべてに対して直列になるように仕切られてなる請求項１記載の気体通路タンク。
【請求項５】
前記ポンプケーシング部が複数個設けられ、前記通気路が、当該複数個のポンプケーシングが、それぞれ直列になるように仕切られてなる請求項１記載の気体通路タンク。
【発明の詳細な説明】
【技術分野】
【０００１】
本発明は電磁振動型ポンプ用タンクに関する。さらに詳しくは、主として自動車や船舶などの移動室内用あるいは一般室内用エアマットへのエア吸排、養魚用水槽や家庭浄化槽などにおける酸素補給、または公害監視における検査ガスのサンプリングなどに利用される電磁振動型ポンプ用気体通路タンクに関する。
【背景技術】
【０００２】
電磁ダイヤフラム式ポンプを複数台連結する場合に、複数台のポンプを一体に連結することによって吐出量を増大することはできるが、それに伴って寸法が大きくなる。例えば、複数台のポンプを一体に組み込んで屋外用のブロワ等として使用することを想定した場合、防滴のためにハウジングを設ける必要がある。このような場合に、特に、ハウジングをも含めた装置全体が大型化して設置場所が制限されることから、小型化の要請がある。また、複数台のポンプ同士の配管が複雑になるという問題点もある。
【０００３】
このため、複数の圧縮部を有する電磁ダイヤフラム式ポンプにおいて、前記複数の圧縮部が単一のケーシングで覆われ、該各圧縮部が、永久磁石を保持した振動子と、周縁部がケーシングに固定され、中心部が前記振動子の両端に固定されたダイヤフラムであって、前記振動子を前記ケーシングに対して該ダイヤフラムの直交方向に振動自在に支持するための一対のダイヤフラムと、前記振動子を挟み、前記永久磁石に対して前記振動子の振動方向に予定量偏倚させて磁極が配置されたフィールドコアと、前記フィールドコアに巻回されたコイルと、前記ダイヤフラムを一壁面とし、前記振動子の振動方向両側に配置された圧縮室と、前記圧縮室に設けられた弁付き吸入口と、前記圧縮室に設けられた弁付き吐出口とをそれぞれの圧縮部毎に具備するとともに、前記フィールドコアのうち、隣接する圧縮部の各振動子間に配置されたもの同士は一体的に形成されており、かつ、前記コイルに交流を供給して前記フィールドコアの磁極を励磁し、前記永久磁石を該磁極に交互に吸引・反発させることによって前記ダイヤフラムを振動させる電源回路手段を具備したものがある（例えば、特許文献１参照）。
【０００４】
【特許文献１】特開２０００−５４９６４号公報
【発明の開示】
【発明が解決しようとする課題】
【０００５】
叙上の特許文献１に記載された電磁振動型ダイヤフラムポンプの場合、構造が複雑で小型化できず、コストが高く、複数台のポンプ同士の配管が複雑になるという問題がある。
【課題を解決するための手段】
【０００６】
本発明の目的は、コンパクトな構造で高圧化を実現でき、そのうえ取りつけ位置決めがしやすく、組立作業が簡単な電磁振動型ポンプ用タンクを提供することである。
【０００７】
本発明のフレーム内に少なくとも１つの電磁石と、永久磁石を保持した複数の振動子と、前記振動子の両端に連結されたダイヤフラムまたはピストンを介して設けられたポンプケーシングとからなり、前記振動子の両端が、それぞれポンプケーシング部の内部空間と気密に遮断するダイヤフラムと連結され、前記ポンプケーシング部に吸入ノズルと吐出ノズルとが設けられている電磁振動型ポンプに適用される気体通路タンクであって、
前記ポンプケーシング部の上に設けられ、
前記吸入ノズルおよび吐出ノズルを介してポンプケーシング部と連通し、
当該気体通路タンク内で、通気路が直列または並列に仕切られてなる
ことを特徴としている。
【発明の効果】
【０００８】
本発明によれば、コンパクトな構造で高圧化を実現でき、そのうえ取りつけ位置決めがしやすく、組立作業が簡単な電磁振動型ポンプ用のタンクを提供することができる。
【発明を実施するための最良の形態】
【０００９】
添付図面を参照しながら本発明の実施の形態にかかわる電磁振動型ポンプ用気体通路タンク（以下、タンクという）を以下に詳細に説明する。
【００１０】
図１は本発明の一実施の形態の気体通路タンク内の空気の流れを示す説明図、図２は本発明の他の実施の形態の気体通路タンク内の空気の流れを示す説明図、図３は本発明の他の実施の形態の気体通路タンク内の空気の流れを示す説明図、図４は本発明の他の実施の形態の気体通路タンク内の空気の流れを示す説明図、図５は本発明の他の実施の形態の気体通路タンク内の空気の流れを示す説明図、図６は本発明の他の実施の形態の気体通路タンク内の空気の流れを示す説明図、図７は参考例にかかわる電磁振動型ダイヤフラムポンプのフレーム内にＣ型鉄心の両端とＩ型鉄心とに巻線が巻回され、振動子がＣ型鉄心とＩ型鉄心との間に設けられ、かつ各ポンプケーシング間に設けられた構造を示す説明図、図８は図７の構造の詳細説明図、図９は通気路の接続方法を示す説明図、図１０は参考例の電磁振動型ダイヤフラムポンプの外観を示す斜視図、図１１は中央電磁石が各ポンプケーシング部間を橋渡しの構造で装着固定された状態を示す説明図、図１２は参考例のポンプの特性を示すグラフである。
【００１１】
参考例
本参考例にかかわる電磁振動型ダイヤフラムポンプ（以下、ポンプという）１は、フレーム２内に側極の鉄心をもたない少な第１電磁石３および第２電磁石４と中央電磁石５と、永久磁石６を保持した２つの振動子７と、前記振動子７の両端に連結されたダイヤフラム８（図８参照）を介して設けられたポンプケーシングＰＣＲ１、ＰＣＬ１、ＰＣＲ２、ＰＣＬ２とから構成される。
【００１２】
図８を参照すると前記振動子７ａ、７ｂの両端には螺子７ｃによってダイヤフラム８が固着されている。そして、前記振動子７ａ、７ｂの両端はそれぞれポンプケーシング部ＰＣＲ１、ＰＣＬ１の内部空間と、ポンプケーシング部ＰＣＲ２、ＰＣＬ２の内部空間と気密に遮断するダイヤフラム８と連結されている。
【００１３】
本参考例においては、図１１を参照すると、ポンプケーシング部ＰＣＲ１、ＰＣＬ１、ＰＣＲ２、ＰＣＬ２と前記中央電磁石５は、前記中央電磁石５の巻枠５Ｆに凹凸５ｅを設け、該中央電磁石５がポンプケーシング部ＰＣＲ１、ＰＣＬ１間およびポンプケーシング部ＰＣＲ２、ＰＣＬ２間を橋渡しの構造で装着固定されて、ポンプケーシング部ＰＣＲ１、ＰＣＬ１間およびポンプケーシング部ＰＣＲ２、ＰＣＬ２間を橋渡しの構造で装着固定されている。
【００１４】
前記ポンプケーシング部ＰＣＲ１には吸入ノズルＳ１ａおよび吐出ノズルＤ１ａ、ポンプケーシング部ＰＣＬ１には吸入ノズルＳ１ｂおよび吐出ノズルＤ１ｂ、ポンプケーシング部ＰＣＲ２には吸入ノズルＳ２ａおよび吐出ノズルＤ２ａ、ポンプケーシング部ＰＣＬ２には吸入ノズルＳ２ｂおよび吐出ノズルＤ２ｂがそれぞれ設けられており、ポンプケーシング部ＰＣＲ１、ＰＣＬ１、ＰＣＲ２、ＰＣＬ２の上に設けられた気体通路タンク２０が前記吸入ノズルＳ１ａ、Ｓ１ｂ、Ｓ２ａ、Ｓ２ｂおよび吐出ノズルＤ１ａ、Ｄ１ｂ、Ｄ２ａ、Ｄ２ｂを介してポンプケーシング部ＰＣＲ１、ＰＣＬ１、ＰＣＲ２、ＰＣＬ２と連通している（図７参照）。
【００１５】
実施の形態１
図１、７および８を参照すると、本実施の形態の気体通路タンク２０（図１０参照）は、参考例に示されたポンプケーシング部ＰＣＲ１、ＰＣＬ１、ＰＣＲ２、ＰＣＬ２の吸入ノズルＳ１ａ、Ｓ１ｂ、Ｓ２ａ、Ｓ２ｂおよび吐出ノズルＤ１ａ、Ｄ１ｂ、Ｄ２ａ、Ｄ２ｂと連通して、気体通路タンク２０内で、通気路が仕切壁Ｗ１、Ｗ２、Ｗ３により並列に仕切られた構造を有している。
【００１６】
吸入ノズルＳ１ａ、Ｓ１ｂ、Ｓ２ａ、Ｓ２ｂは、それぞれポンプケーシングＰＣＲ１、ＰＣＬ１、ＰＣＲ２、ＰＣＬ２の吸入室ＳＲと連通している。そして、吸入室ＳＲと圧縮室Ｃ１、Ｃ２、Ｃ３、Ｃ４とが逆止弁ＮＲを介して連通している。このため、吸気口２１から気体通路タンク２０に流入した空気は、第１段圧縮仕切壁Ｗ１により画定された（仕切られた）空間から流出口２３を経て仕切壁Ｗ２およびＷ３に仕切られた空間に流入口２４ａ、２４ｃおよび２４ｂ、２４ｄから流入し、流出口２５ａ、２５ｃおよび２５ｂ、２５ｄから該流出口２５ａ、２５ｃおよび２５ｂ、２５ｄと連通した吸入ノズルＳ１ｂ、Ｓ１ａおよびＳ２ｂ、Ｓ２ａを経て各ポンプケーシング部ＰＣＲ１、ＰＣＬ１、ＰＣＲ２、ＰＣＬ２に流入し、吐出ノズルＤ１ａ、Ｄ１ｂ、Ｄ２ａ、Ｄ２ｂと連通している流出口２６ａ、２６ｂ、２６ｃ、２６ｄを経て、仕切壁Ｗ１、Ｗ２、Ｗ３および外壁Ｗによって画定された空間（流路）から吐出口２２を経て気体通路タンク２０の外部に吐出される。
【００１７】
図中の矢印Ｈは空気などの流体の流れる方向を示す。吐出ノズルＤ１ａ、Ｄ１ｂ、Ｄ２ａ、Ｄ２ｂは各ポンプケーシング部ＰＣＲ１、ＰＣＬ１、ＰＣＲ２、ＰＣＬ２の吐出室ＤＲと連通しており、吐出室ＤＲは圧縮室Ｃ１、Ｃ２、Ｃ３、Ｃ４と逆止弁ＮＲを介して連通している。
【００１８】
この構造が前述の参考例のポンプ１に吸入された流体を各ポンプケーシング部ＰＣＲ１、ＰＣＲ２とにそれぞれ導入して、圧縮したのち吐出するようにする構造（（図９（ｃ）参照））に相当し、吐出量（風量ｌ／ｍｉｎ）だけが際立って優れた特性が得られる（図１２の参照符号Ｌ参照）。
【００１９】
本実施の形態のタンク２０は、参考例のポンプ１だけに適用されるのではなく、図３および７に示されるようなポンプケーシング部ＰＣＲ１、ＰＣＬ１、ＰＣＲ２、ＰＣＬ２の吸入ノズルＳ１ａ、Ｓ１ｂ、Ｓ２ａ、Ｓ２ｂおよび吐出ノズルＤ１ａ、Ｄ１ｂ、Ｄ２ａ、Ｄ２ｂを備えたポンプであれば、いかなる構造のものにでも適用することができる。
【００２０】
実施の形態２
一方、図２、７および８を参照すると、本実施の形態の気体通路タンク２０は、参考例に示されたポンプケーシング部ＰＣＲ１、ＰＣＬ１、ＰＣＲ２、ＰＣＬ２の吸入ノズルＳ１ａ、Ｓ１ｂ、Ｓ２ａ、Ｓ２ｂおよび吐出ノズルＤ１ａ、Ｄ１ｂ、Ｄ２ａ、Ｄ２ｂと連通して、気体通路タンク２０内で、通気路が仕切壁Ｗ１、Ｗ２、Ｗ３、Ｗ４により直列に仕切られた構造を有している。
【００２１】
吸入ノズルＳ１ａ、Ｓ１ｂ、Ｓ２ａ、Ｓ２ｂは、それぞれポンプケーシングＰＣＲ１、ＰＣＬ１、ＰＣＲ２、ＰＣＬ２の吸入室ＳＲと連通している。そして、吸入室ＳＲと圧縮室Ｃ１、Ｃ２、Ｃ３、Ｃ４とが逆止弁ＮＲを介して連通している。このため、吸気口２１から気体通路タンク２０に流入した空気は、仕切壁Ｗ１により画定された（仕切られた）空間から流出口２３を経て仕切壁Ｗ２およびＷ３によって仕切られた空間に流入口２４ａ、２４ｂから流入し、流出口２５ａ、２５ｂから該流出口２５ａ、２５ｂと連通した吸入ノズルＳ１ｂおよびＳ２ｂを経て各ポンプケーシング部ＰＣＲ１、ＰＣＬ１に流入し、吐出ノズルＤ１ａ、Ｄ２ａと連通している流出口２６ａ、２６ｂを経て、仕切壁Ｗ２、Ｗ３、Ｗ４および外壁Ｗによって画定された空間（流路）から吐出口２７ａ、２７ｂおよび該吐出口２７ａ、２７ｂと連通している吸入ノズルＳ２ａ、Ｓ２ｂを経てポンプケーシング部ＰＣＲ２、ＰＣＬ２に流入し、吐出ノズルＤ２ａ、Ｄ２ｂおよび該吐出ノズルＤ２ａ、Ｄ２ｂと連通している流入口２８ａ、２８ｂを経て仕切壁Ｗ１、Ｗ４および外壁Ｗによって画定された空間（流路）から吐出口２２を経て気体通路タンク２０の外部に吐出される。
【００２２】
図中の矢印Ｈは空気などの流体の流れる方向を示す。吐出ノズルＤ１ａ、Ｄ１ｂ、Ｄ２ａ、Ｄ２ｂは各ポンプケーシング部ＰＣＲ１、ＰＣＬ１、ＰＣＲ２、ＰＣＬ２の吐出室ＤＲと連通しており、吐出室ＤＲは圧縮室Ｃ１、Ｃ２、Ｃ３、Ｃ４と逆止弁ＮＲを介して連通している。
【００２３】
この構造が前述の参考例のポンプ１に吸入された流体を各ポンプケーシング部ＰＣＲ１に導入し、圧縮したのち流体をポンプケーシング部ＰＣＬ１に導入して、さらに圧縮した流体をポンプケーシング部ＰＣＬ２に導入し、しかるのちにポンプケーシング部ＰＣＲ２に導入してさらに圧縮したのち吐出するようにする構造（図９（ｄ）参照）に相当し、吐出圧力（ｋＰａ）だけが際立って優れた特性が得られる（図１２の参照符号Ｍ参照）。
【００２４】
本実施の形態のタンク２０は、参考例のポンプ１だけに適用されるのではなく、図３および７に示されるようなポンプケーシング部ＰＣＲ１、ＰＣＬ１、ＰＣＲ２、ＰＣＬ２の吸入ノズルＳ１ａ、Ｓ１ｂ、Ｓ２ａ、Ｓ２ｂおよび吐出ノズルＤ１ａ、Ｄ１ｂ、Ｄ２ａ、Ｄ２ｂを備えたポンプであれば、いかなる構造のものにでも適用することができる。
【００２５】
実施の形態３
図３、７および８を参照すると、本実施の形態の気体通路タンク２０（図１０参照）は、参考例に示されたポンプケーシング部ＰＣＲ１、ＰＣＬ１、ＰＣＲ２、ＰＣＬ２の吸入ノズルＳ１ａ、Ｓ１ｂ、Ｓ２ａ、Ｓ２ｂおよび吐出ノズルＤ１ａ、Ｄ１ｂ、Ｄ２ａ、Ｄ２ｂと連通して、気体通路タンク２０内で、通気路が仕切壁Ｗ１、Ｗ２、Ｗ３、Ｗ４、Ｗ５により並直列に仕切られた構造を有している。
【００２６】
吸入ノズルＳ１ａ、Ｓ１ｂ、Ｓ２ａ、Ｓ２ｂは、それぞれポンプケーシングＰＣＲ１、ＰＣＬ１、ＰＣＲ２、ＰＣＬ２の吸入室ＳＲと連通している。そして、吸入室ＳＲと圧縮室Ｃ１、Ｃ２、Ｃ３、Ｃ４とが逆止弁ＮＲを介して連通している。このため、吸気口２１から気体通路タンク２０に流入した空気は、仕切壁Ｗ１により仕切られた空間から流出口２３を経て仕切壁Ｗ２、Ｗ３、Ｗ４およびＷ５に仕切られた空間に流入口２４ａおよび２４ｂから流入し、流出口２５ａおよび２５ｂから該流出口２５ａおよび２５ｂと連通した吸入ノズルＳ１ｂおよびＳ１ｂを経て各ポンプケーシング部ＰＣＬ１、ＰＣＲ１に流入し、吐出ノズルＤ１ｂ、Ｄ１ａと連通している流出口２６ａ、２６ｂを経て、仕切壁Ｗ２、Ｗ３、Ｗ４および外壁Ｗによって画定された空間と、仕切壁Ｗ２、Ｗ４および外壁Ｗによって画定された空間から流出口２７ａ、２７ｂから流出口２７ａ、２７ｂと連通した吸入ノズルＳ２ｂ、Ｓ２ａを経て各ポンプケーシング部ＰＣＬ２、ＰＣＲ２に流入し、吐出ノズルＤ２ｂ、Ｄ２ａと連通している流出口２８ａおよび２８ｂから仕切壁Ｗ１、Ｗ５および外壁Ｗによって画定された画定された流路から吐出口２２を経て気体通路タンク２０の外部に吐出される。
【００２７】
図中の矢印Ｈは空気などの流体の流れる方向を示す。吐出ノズルＤ１ａ、Ｄ１ｂ、Ｄ２ａ、Ｄ２ｂは各ポンプケーシング部ＰＣＲ１、ＰＣＬ１、ＰＣＲ２、ＰＣＬ２の吐出室ＤＲと連通しており、吐出室ＤＲは圧縮室Ｃ１、Ｃ２、Ｃ３、Ｃ４と逆止弁ＮＲを介して連通している。
【００２８】
この構造が前述の参考例のポンプ１に吸入された流体を各ポンプケーシング部ＰＣＲ１、ＰＣＬ１とにそれぞれ導入して、圧縮したのち各ポンプケーシング部ＰＣＬ２、ＰＣＲ２に吐出するようにする構造（（図９（ａ）参照））に相当する。
【００２９】
実施の形態４
図４、７および８を参照すると、本実施の形態の気体通路タンク２０（図１０参照）は、参考例に示されたポンプケーシング部ＰＣＲ１、ＰＣＬ１、ＰＣＲ２、ＰＣＬ２の吸入ノズルＳ１ａ、Ｓ１ｂ、Ｓ２ａ、Ｓ２ｂおよび吐出ノズルＤ１ａ、Ｄ１ｂ、Ｄ２ａ、Ｄ２ｂと連通して、気体通路タンク２０内で、通気路が仕切壁Ｗ１、Ｗ２、Ｗ３、Ｗ４、Ｗ５により直列に仕切られた構造を有している。
【００３０】
吸入ノズルＳ１ａ、Ｓ１ｂ、Ｓ２ａ、Ｓ２ｂは、それぞれポンプケーシングＰＣＲ１、ＰＣＬ１、ＰＣＲ２、ＰＣＬ２の吸入室ＳＲと連通している。そして、吸入室ＳＲと圧縮室Ｃ１、Ｃ２、Ｃ３、Ｃ４とが逆止弁ＮＲを介して連通している。このため、吸気口２１から気体通路タンク２０に流入した空気は、仕切壁Ｗ１により仕切られた空間から流出口２３を経て仕切壁Ｗ２、Ｗ３および外壁Ｗに仕切られた空間に流入口２４から流入し、流出口２５から該流出口２５と連通した吸入ノズルＳ１ｂを経てポンプケーシング部ＰＣＬ１に流入し、吐出ノズルＤ１ｂと連通している流出口２６を経て、仕切壁Ｗ２、Ｗ３および外壁Ｗによって画定された空間から流出口２７から流出口２７と連通した吸入ノズルＳ１ａを経てポンプケーシング部ＰＣＲ１に流入し、吐出ノズルＤ１ａと連通している流出口２８から仕切壁Ｗ２、Ｗ４および外壁Ｗによって画定された空間から流出口２９から流出口２９と連通した吸入ノズルＳ２ａを経てポンプケーシング部ＰＣＲ２に流入し、吐出ノズルＤ２ａと連通している流出口３０から仕切壁Ｗ１、Ｗ２、Ｗ４、Ｗ５および外壁Ｗによって画定された空間に流入し、流出口３１から該流出口３１と連通した吸入ノズルＳ２ｂを経てポンプケーシング部ＰＣＬ２に流入し、吐出ノズルＤ２ｂと連通している流出口３２から吐出口２２を経て気体通路タンク２０の外部に吐出される。
【００３１】
図中の矢印Ｈは空気などの流体の流れる方向を示す。吐出ノズルＤ１ａ、Ｄ１ｂ、Ｄ２ａ、Ｄ２ｂは各ポンプケーシング部ＰＣＲ１、ＰＣＬ１、ＰＣＲ２、ＰＣＬ２の吐出室ＤＲと連通しており、吐出室ＤＲは圧縮室Ｃ１、Ｃ２、Ｃ３、Ｃ４と逆止弁ＮＲを介して連通している。
【００３２】
この構造が前述の参考例のポンプ１に吸入された流体をポンプケーシング部ＰＣＲ１に導入して、圧縮したのちポンプケーシング部ＰＣＬ１に吐出して圧縮したのち、ポンプケーシング部ＰＣＬ２に吐出してさらに圧縮したのち、ンプケーシング部ＰＣＲ２に吐出するようにする構造（（図９（ｄ）参照））に相当する。
【００３３】
実施の形態５
図５、７および８を参照すると、本実施の形態の気体通路タンク２０（図１０参照）は、参考例に示されたポンプケーシング部ＰＣＲ１、ＰＣＬ１、ＰＣＲ２、ＰＣＬ２の吸入ノズルＳ１ａ、Ｓ１ｂ、Ｓ２ａ、Ｓ２ｂおよび吐出ノズルＤ１ａ、Ｄ１ｂ、Ｄ２ａ、Ｄ２ｂと連通して、気体通路タンク２０内で、通気路が仕切壁Ｗ１、Ｗ２、Ｗ３、Ｗ４、Ｗ５により左右独立して直列に仕切られた構造を有している。
【００３４】
吸入ノズルＳ１ａ、Ｓ１ｂ、Ｓ２ａ、Ｓ２ｂは、それぞれポンプケーシングＰＣＲ１、ＰＣＬ１、ＰＣＲ２、ＰＣＬ２の吸入室ＳＲと連通している。そして、吸入室ＳＲと圧縮室Ｃ１、Ｃ２、Ｃ３、Ｃ４とが逆止弁ＮＲを介して連通している。このため、吸気口２１ａ、２１ｂから気体通路タンク２０に流入した空気は、仕切壁Ｗ１、Ｗ２および外壁Ｗによって画定された空間と、仕切壁Ｗ１、Ｗ３および外壁Ｗによって画定された空間から、それぞれ流出口２３ａ、２３ｂを経て仕切壁Ｗ１、Ｗ２、Ｗ４および外壁Ｗに仕切られた空間と、Ｗ１、Ｗ３、Ｗ５および外壁Ｗに仕切られた空間に流入口２４ａおよび２４ｂから流入し、流出口２５ａおよび２５ｂから該流出口２５ａおよび２５ｂと連通した吸入ノズルＳ２ｂ、Ｓ２ａを経て各ポンプケーシング部ＰＣＬ２、ＰＣＲ２に流入し、吐出ノズルＤ２ｂ、Ｄ２ａと連通している流出口２６ａ、２６ｂを経て、仕切壁Ｗ２、Ｗ３、Ｗ４および外壁Ｗによって画定された空間と、仕切壁Ｗ１、Ｗ４および外壁Ｗによって画定された空間と、Ｗ１、Ｗ５および外壁Ｗによって画定された空間に流入し、流出口２７ａ、２７ｂから吐出口２２ａ、２２ｂを経て気体通路タンク２０の外部に吐出される。
【００３５】
実施の形態６
図６、７および８を参照すると、前述の実施の形態２の変形例である本実施の形態の気体通路タンク２０は、参考例に示されたポンプケーシング部ＰＣＲ１、ＰＣＬ１、ＰＣＲ２、ＰＣＬ２の吸入ノズルＳ１ａ、Ｓ１ｂ、Ｓ２ａ、Ｓ２ｂおよび吐出ノズルＤ１ａ、Ｄ１ｂ、Ｄ２ａ、Ｄ２ｂと連通して、気体通路タンク２０内で、通気路が仕切壁Ｗ１、Ｗ２、Ｗ３、Ｗ４、Ｗ５により並直列に仕切られた構造を有している。
【００３６】
吸入ノズルＳ１ａ、Ｓ１ｂ、Ｓ２ａ、Ｓ２ｂは、それぞれポンプケーシングＰＣＲ１、ＰＣＬ１、ＰＣＲ２、ＰＣＬ２の吸入室ＳＲと連通している。そして、吸入室ＳＲと圧縮室Ｃ１、Ｃ２、Ｃ３、Ｃ４とが逆止弁ＮＲを介して連通している。このため、吸気口２１から気体通路タンク２０に流入した空気は、仕切壁Ｗ１により仕切られた空間から流出口２３を経て仕切壁Ｗ３およびＷ４によって仕切られた空間に流入口２４ａ、２４ｂから流入し、流出口２５ａ、２５ｂから該流出口２５ａ、２５ｂと連通した吸入ノズルＳ１ｂおよびＳ２ｂを経て各ポンプケーシング部ＰＣＲ１、ＰＣＬ１に流入し、吐出ノズルＤ１ａ、Ｄ２ａと連通している流出口２６ａ、２６ｂを経て、仕切壁Ｗ２、Ｗ３および外壁Ｗによって画定された空間と、仕切壁Ｗ２、Ｗ４および外壁Ｗによって画定された空間にそれぞれ流入し、吐出口２７ａ、２７ｂおよび該吐出口２７ａ、２７ｂと連通している吸入ノズルＳ２ａ、Ｓ２ｂを経てポンプケーシング部ＰＣＲ２、ＰＣＬ２に流入し、吐出ノズルＤ２ａ、Ｄ２ｂおよび該吐出ノズルＤ２ａ、Ｄ２ｂと連通している流入口２８ａ、２８ｂを経て仕切壁Ｗ１、Ｗ５および外壁Ｗによって画定された流路から吐出口２２を経て気体通路タンク２０の外部に吐出される。
【００３７】
図中の矢印Ｈは空気などの流体の流れる方向を示す。吐出ノズルＤ１ａ、Ｄ１ｂ、Ｄ２ａ、Ｄ２ｂは各ポンプケーシング部ＰＣＲ１、ＰＣＬ１、ＰＣＲ２、ＰＣＬ２の吐出室ＤＲと連通しており、吐出室ＤＲは圧縮室Ｃ１、Ｃ２、Ｃ３、Ｃ４と逆止弁ＮＲを介して連通している。
【００３８】
前述の実施の形態１から６は、ポンプケーシング部が左右２つづつ設けられたものを例にとって説明しているが、本発明の気体通路タンクは、かかる構成の電磁振動型ポンプへの適用に限られない。複数個（２または３以上）のポンプケーシング部を備えた電磁振動型ポンプに適用することは当業者には自明の変形または修正であり、本発明に含まれる。
【図面の簡単な説明】
【００３９】
【図１】本発明の一実施の形態の気体通路タンク内の空気の流れを示す説明図である。
【図２】本発明の他の実施の形態の気体通路タンク内の空気の流れを示す説明図である。
【図３】本発明の他の実施の形態の気体通路タンク内の空気の流れを示す説明図である。
【図４】本発明の他の実施の形態の気体通路タンク内の空気の流れを示す説明図である。
【図５】本発明の他の実施の形態の気体通路タンク内の空気の流れを示す説明図である。
【図６】本発明の他の実施の形態の気体通路タンク内の空気の流れを示す説明図である。
【図７】参考例にかかわる電磁振動型ダイヤフラムポンプのフレーム内にＣ型鉄心の両端とＩ型鉄心とに巻線が巻回され、振動子がＣ型鉄心とＩ型鉄心との間に設けられ、かつ各ポンプケーシング間に設けられた構造を示す説明図である。
【図８】図７の構造の詳細説明図である。
【図９】通気路の接続方法を示す説明図である。
【図１０】参考例の電磁振動型ダイヤフラムポンプの外観を示す斜視図である。
【図１１】中央電磁石が各ポンプケーシング部間を橋渡しの構造で装着固定された状態を示す説明図である。
【図１２】参考例のポンプの特性を示すグラフである。
【符号の説明】
【００４０】
１    ポンプ
２    フレーム
７、７ａ、７ｂ  振動子
７ｃ  螺子
８    ダイヤフラム
２０    気体通気路タンク
ＰＣＲ１、ＰＣＲ２、
ＰＣＬ１、ＰＣＬ２    ポンプケーシング部
【図１】
2006322396.tif 000003
【図２】
2006322396.tif 000004
【図３】
2006322396.tif 000005
【図４】
2006322396.tif 000006
【図５】
2006322396.tif 000007
【図６】
2006322396.tif 000008
【図７】
2006322396.tif 000009
【図８】
2006322396.tif 000010
【図９】
2006322396.tif 000011
【図１０】
2006322396.tif 000012
【図１１】
2006322396.tif 000013
【図１２】
2006322396.tif 000014